(57)【要約】      （修正有）【課題】表示器に表示されたボタンに対応するタッチパネルの領域に割付ける割付データをキャッシャ毎に設定するのに必要な記憶容量を小さくする。【解決手段】表示器５に複数のボタンを表示し、タッチパネル７のボタンに対応する領域であるボタン領域に割付けられた割付データに基づいて売上処理を実行する構成とする。割付データを特定し割付データよりもデータ量が少ない割付データ特定データを割付データ毎に記憶する第一のテーブルである割付データ番号テーブルＴ１と、ボタン領域へ割り付ける割付データを割付データ特定データを用いてキャッシャ毎に記憶する第二のテーブルである責任者コードテーブルＴ２とを備え、指定されたキャッシャに対応させて責任者コードテーブルＴ２に基づいてボタン領域に割付データを割付けるようにした。【選択図】図３
2005141485.tif 000002
【特許請求の範囲】
【請求項１】
表示器に複数のボタンを表示し、タッチパネルの前記ボタンに対応する領域に割付けられた割付データに基づいて売上処理を実行する商品販売データ処理装置において、
前記割付データを特定し前記割付データよりもデータ量が少ない割付データ特定データを前記割付データ毎に記憶する第一のテーブルと、
前記領域へ割り付ける前記割付データを前記割付データ特定データを用いてキャッシャ毎に記憶する第二のテーブルと、
キャッシャを指定する指定手段と、
指定されたキャッシャに対応させて前記第二のテーブルに基づいて前記領域に前記割付データを割付ける割付手段と、
を備えることを特徴とする商品販売データ処理装置。
【発明の詳細な説明】
【技術分野】
【０００１】
本発明は、タッチパネルを備えた商品販売データ処理装置に関する。
【背景技術】
【０００２】
従来、店舗に設置されるＥＣＲ（Electronic Cash Register：電子式キャッシュレジスタ）やＰＯＳ（Point Of Sales：販売時点管理）端末などの商品販売データ処理装置では、商品情報に基づいて売上処理を実行する。コンビニエントストアやスーパーマーケットなどの店舗では、複数のキャッシャ（店員）が交代でこの商品販売データ処理装置を使用する運用をとっている。
【０００３】
商品販売データ処理装置では、各キャッシャそれぞれの装置操作性の向上を図るために、装置の各部を各キャッシャに合った状態に設定可能なものがある（例えば、特許文献１参照）。
【０００４】
このような商品販売データ処理装置には、タッチパネル付きの表示器に複数のボタンを表示させ、キャッシャのタッチパネルへのタッチ入力によるボタンの指定により、そのボタンに対応するタッチパネルの領域（以後、ボタン領域という）に割付けられた割付データに基づいて売上処理を実行するものがあり、そのボタン領域へのデータの割付けをキャッシャ毎に設定可能としているものがある。これにより、例えば、利き手の違いに応じたボタン領域への割付けデータの割付けを行うことができ、商品販売データ処理装置の操作性の向上が図られている。
【０００５】
【特許文献１】特開平７−１２１２６６号公報
【発明の開示】
【発明が解決しようとする課題】
【０００６】
ところが、この商品販売データ処理装置では、キャッシャ毎に、どのボタン領域にどの割付データが割付けるかを記憶部に記憶しているので、キャッシャの人数分の割付データが記憶部に記憶されており、ボタン領域への割付データの割付けが固定されている商品販売データ処理装置に比べて大きな記憶容量が必要であるという問題がある。
【０００７】
本発明の目的は、表示器に表示されたボタンに対応するタッチパネルの領域に割付ける割付データをキャッシャ毎に設定するのに必要な記憶容量を小さくすることである。
【課題を解決するための手段】
【０００８】
本発明は、表示器に複数のボタンを表示し、タッチパネルの前記ボタンに対応する領域に割付けられた割付データに基づいて売上処理を実行する商品販売データ処理装置において、前記割付データを特定し前記割付データよりもデータ量が少ない割付データ特定データを前記割付データ毎に記憶する第一のテーブルと、前記領域へ割り付ける前記割付データを前記割付データ特定データを用いてキャッシャ毎に記憶する第二のテーブルと、キャッシャを指定する指定手段と、指定されたキャッシャに対応させて前記第二のテーブルに基づいて前記領域に前記割付データを割付ける割付手段と、を備える。
【発明の効果】
【０００９】
本発明によれば、表示器に表示されたボタンに対応するタッチパネルの領域に割付ける割付データをキャッシャ毎に設定するのに必要な記憶容量を小さくすることができる。
【発明を実施するための最良の形態】
【００１０】
本発明の一実施の形態を図面に基づいて説明する。図１は本実施の形態の商品販売データ処理装置であるＰＯＳ端末１を概略的に示す外観斜視図である。
【００１１】
図１に示すように、ＰＯＳ端末１には、本体２の前方側に指定手段であるキーボード３が配置され、キーボード３の左側に図示しない鍵により登録・設定・精算等の動作モードを切替自在に設定するモード切替スイッチ４が配置されている。本体２の奥側には表示器であるキャッシャ用表示器５、客用表示器６が配置されている。キャッシャ用表示器５の表示部５ａには、タッチパネル７が積層して設けられている。また、ＰＯＳ端末１の下部側には、ドロワ８が設けられている。さらに、ＰＯＳ端末１には、商品コードを光学的に読み取るためのバーコードスキャナ９も接続されている。
【００１２】
キャッシャ用表示器５の表示部５ａには、登録モードにおける売上処理の際に、図２に示すような商品指定画面Ｇ１が表示される。この商品指定画面Ｇ１には、複数（本実施の形態では３２個）のボタン１１が表示されている。各ボタン１１には、割付データである商品の商品コードが割付けされている。ここで、ボタン１１は、タッチパネル７の対応する領域により認識されるものであり、つまり、割付データである商品コードはタッチパネル７のボタン１１に対応する領域（以後、ボタン領域という）に割付けられているものである。以後においてボタン１１に割付ける／割付けた旨の記載は、タッチパネル７のボタン領域に割付ける／割付けた旨を表す。商品コードは商品を特定するためのＰＬＵコードデータである。これらのボタン１１には、割付けられた商品コードに対応する商品の商品名１２及びその商品コードを特定するための割付データ特定データである割付データ番号１３が表示されている。ここで、割付番号は、商品コードよりも桁数が少ないデータであり、即ち、データ量が商品コードよりも少ない。なお、ボタン１１中の左の領域に表示された括弧付き番号（（１）〜（３２））は、ボタン１１を特定するためのボタン特定データであるボタン番号１４である。このボタン番号１４は、図中では説明のために記載しているが、実際には表示させなくても良い。
【００１３】
このようなＰＯＳ端末１の電装系は図３に示すように構成されている。ＰＯＳ端末１は、各部を集中的に制御するＣＰＵ（Central Processing Unit）、コンピュータプログラムなどを格納するＲＯＭ（Read Only Memory）、各種データを書き換え自在に格納するワークエリアとして機能するＲＡＭ（Random Access Memory）、日時を計時するタイマ等で構成されるＰＯＳ制御部２１が設けられている。
【００１４】
このＰＯＳ制御部２１には、バス２２及びＩ／Ｏ制御部２３を介して、前述した、キーボード３、モード切替スイッチ４、キャッシャ用表示器５、客用表示器６、タッチパネル７、ドロワ８、バーコードスキャナ９とともに、プリンタ２４及び記憶部であるハードディスク装置（以後、ＨＤＤという）が接続されている。以下に、ＰＯＳ制御部２１に接続された各部を説明する。
【００１５】
キーボード３は、置数キー、小計キー、クリアキー、締めキー、サインオンキーなどを配設したものであり、操作されたキーに応じた信号をＰＯＳ制御部２１に入力する。
【００１６】
タッチパネル７は、オペレータによりタッチされたパネル上のＸＹ座標の位置を認識して座標データを取得し、この取得された座標データに応じた信号をＰＯＳ制御部２１に入力することで座標によりボタン１１を指定する。ＰＯＳ制御部２１は、キャッシャ用表示器５に表示されたボタン１１とタッチパネル７から入力されたタッチパネル７の座標との位置関係の同期をとることによって、タッチされたボタン１１を認識する。
【００１７】
プリンタ２４は、ＰＯＳ端末１の本体２内に内蔵されたレシート／ジャーナルプリンタであり、売上処理に伴い、取引単位でレシートを発行するとともに、並行してジャーナル用紙への印字を行うものである。
【００１８】
ＨＤＤ２５には、商品マスタファイルＦ１、ＰＯＳ売上ファイルＦ２、第一のテーブルである割付データ番号テーブルＴ１、第二のテーブルである責任者コードテーブルＴ２が設けられている。商品マスタファイルＦ１は、商品の商品コード毎に商品名１２、単価等を対応付けして記憶するファイルである。ＰＯＳ売上ファイルＦ２は、売上処理に基づく売上データを記憶するファイルである。
【００１９】
割付データ番号テーブルＴ１には、図４に示すように、割付データ番号を記憶する割付データ番号領域３１、割付データである商品コード（ＰＬＵコード）を記憶する商品コード領域３２が設けられており、商品コード毎に、割付データ番号１３を記憶するファイルである。
【００２０】
責任者コードテーブルＴ２には、図５に示すように、キャッシャを特定するための責任者コードを記憶する責任者コード領域４１、責任者氏名を記憶する責任者氏名領域４２、各ボタン１１（タッチパネル７のボタン領域）に割付ける商品の商品コードを割付データ番号１３で記憶する割付領域４３が設けられており、キャッシャ毎に、責任者コード、責任者氏名、各ボタン１１（タッチパネル７のボタン領域）に割付ける割付データ番号１３を記憶するファイルである。
【００２１】
次に、ＰＯＳ端末１のＰＯＳ制御部２１が実行する各種処理を説明する。まず、モード設定処理では、モード切替スイッチ４の切替位置に応じて、動作モードを登録モード、設定モード、精算モード等に設定する。
【００２２】
次に、商品の取り引きにおける売上処理を実行するために必要なサインオン処理について図６に示すフローチャートに基づいて説明する。サインオン処理は、動作モードが登録モードのときに実行される。
【００２３】
キーボード３のサインオンキーが操作され、責任者コードテーブルＴ２に登録されている責任者コードがキーボード３により入力されてキャッシャが指定されるサインオン操作がなされたと判断した場合には（ステップＳ１のＹ）、その責任者コードでサインオンを実行し（ステップＳ２）、その責任者コードに対応したボタン１１表示がなされた商品指定画面Ｇ１を表示する（ステップＳ３、割付手段）。詳しくは、この商品指定画面Ｇ１を表示させるには、まず、入力された責任者コードに対応して各ボタン１１（タッチパネル７のボタン領域）に割付ける商品コードの割付データ番号１３を責任者コードテーブルＴ２から取得し、取得した各ボタン１１毎の割付データ番号１３で割付データ番号テーブルＴ１を検索して各ボタン１１に割付ける商品コードを取得して、取得した商品コードを各ボタン１１に割付ける。そして、商品コードに基づいて商品マスタファイルＦ１を検索して商品名１２を取得して、商品名１２と割付データ番号１３とをボタン１１に表示させる。ここで、図１は、図５に示した責任者コードテーブルＴ２における責任者コード「１」のキャッシャに対応した商品指定画面Ｇ１を示したものであり、商品指定画面Ｇ１の別例として、責任者コードテーブルＴ２における責任者コード「２」のキャッシャに対応した商品指定画面Ｇ１を図７に示す。商品指定画面Ｇ１は、売上処理中表示されている。
【００２４】
次に、売上処理について簡単に説明する。売上処理は、動作モードが登録モードのときに実行される。商品に付された商品コードがバーコードスキャナ９により読み取り入力された場合や、キャッシャ用表示器５に表示されたボタン１１へのキャッシャのタッチ入力によりボタン１１が指定されると、入力された商品コード又はボタン１１に割付けられた商品コードに基づいて商品マスタファイルＦ１を検索し、該当する商品コードに対応した商品名１２や単価等を読み出し、商品コードや商品名１２や単価などに基づく売上登録処理の実行や、売上登録した売上データを表示器５，６に表示させる。そして、締め処理が宣言されたなら、売上合計金などを算出し、プリンタ２４によるレシートの印字発行やドロワ８の引出しの開放を行った後、売上データをＰＯＳ売上ファイルＦ２に記憶する。
【００２５】
次に、責任者コードテーブルＴ２へのデータの登録処理を図８を参照して説明する。責任者コードテーブルＴ２へのデータの登録処理は、動作モードが設定モードのときに実行される。責任者コードテーブルＴ２へのデータの登録処理では、図８に示す設定画面Ｇ２をキャッシャ用表示器５に表示させる。この設定画面Ｇ２には、責任者コードを入力する責任者コード入力領域５１、責任者氏名を入力する責任者氏名入力領域５２、ボタン１１に割付ける商品を割付データ番号１３で入力する割付データ番号入力領域５３、決定ボタン５４が設けられている。そして、キーボード３によるキー入力により各領域５１，５２，５３にデータが入力され、決定ボタン５４が操作されると、入力されたデータをキャッシャのデータとして責任者コードテーブルＴ２に登録する。
【００２６】
責任者コードテーブルＴ２へのデータの登録処理の別例を図９を参照して説明する。この別例の責任者コードテーブルＴ２へのデータの登録処理では、図９に示す設定画面Ｇ３をキャッシャ用表示器５に表示させる。この設定画面Ｇ３には、責任者コードを入力する責任者コード入力領域６１、責任者氏名を入力する責任者氏名入力領域６２、ボタン１１、商品ボタン６３、決定ボタン６４が設けられている。商品ボタン６３には、割付データ番号１３が関連付けされているとともに、その割付データ番号１３及びその割付データ番号１３に対応する商品名１２が表示されている。そして、責任者コード及び責任者氏名がキーボード３によりキー入力されると、責任者コードテーブルＴ２に責任者コードと責任者氏名とを記憶させる。そして、ある商品ボタン６３がタッチされた後、あるボタン１１がタッチされると、タッチされた商品ボタン６３に対応付けされた割付データ番号１３をタッチされたボタン１１に対応付けして責任者コードテーブルＴ２の当該責任者コードに関連付けして登録する。これを全ての商品ボタン６３に対して実行する。そして、決定ボタン６４が操作されたなら処理を終了する。これにより責任者コードテーブルＴ２へのデータの登録が完了する。
【００２７】
以上説明したように、本実施の形態においては、割付データである商品コードを特定し商品コードよりもデータ量が少ない割付データ番号を商品コード毎に記憶する第一のテーブルである割付データ番号テーブルＴ１と、商品コードを割付データ番号を用いてキャッシャ毎に記憶する第二のテーブルである責任者コードテーブルＴ２とを設けることで、ボタン１１（タッチパネル７のボタン領域）へ割付ける商品コードをキャッシャ毎に設定しているので、キャッシャの人数分記憶するデータとしては、商品コードよりもデータ量が少ない割付データ番号であるので、従来のようにキャッシャの人数分の割付データを記憶する場合に比べて、記憶容量が小さくて済む。
【００２８】
なお、本実施の形態では、ボタン１１（タッチパネル７のボタン領域）に割付ける割付データとして商品を特定する商品コードを例に説明したが、これに限るものではなく、割付データとしては、例えば置数ボタンや、小計ボタンや、締めボタンや、クリアボタンなどの機能キーなどであってもよい。
【図面の簡単な説明】
【００２９】
【図１】本発明の一実施の形態のＰＯＳ端末を概略的に示す外観斜視図である。
【図２】キャッシャ用表示器に表示される商品指定画面を概略的に示す模式図である。
【図３】ＰＯＳ端末の電装系を示すブロック図である。
【図４】割付データ番号テーブルを示す模式図である。
【図５】責任者コードテーブルを示す模式図である。
【図６】割付け変更処理の流れを示すフローチャートである。
【図７】別例の商品指定画面を概略的に示す模式図である。
【図８】設定画面を示す模式図である。
【図９】別例の設定画面を示す模式図である。
【符号の説明】
【００３０】
１…ＰＯＳ端末（商品販売データ処理装置）、３…キーボード（指定手段）、５…キャッシャ用表示器（表示器）、７…タッチパネル、１１…ボタン、Ｔ１…割付データ番号テーブル（第一のテーブル）、Ｔ２…責任者コードテーブル（第二のテーブル）、ステップＳ３…割付手段
【図１】
2005141485.tif 000003
【図２】
2005141485.tif 000004
【図３】
2005141485.tif 000005
【図４】
2005141485.tif 000006
【図５】
2005141485.tif 000007
【図６】
2005141485.tif 000008
【図７】
2005141485.tif 000009
【図８】
2005141485.tif 000010
【図９】
2005141485.tif 000011